(57)【特許請求の範囲】
【請求項１】
１チャンネル当たり同一レートを有するＮ（Ｎは自然数）個のセクターで構成されていて、１セクター当たりａビットのディジタルデータを有するＫ（Ｋは２以上の整数）チャンネルのディジタルデータを書きこむバッファーメモリと、
前記バッファーメモリを（Ｎ×Ｋ）個の領域に分割し、前記チャンネルと前記セクタを前記メモリの領域に対応づけて、前記Ｋチャンネルのディジタルデータを書きこむメモリの書きこみ制御手段と、
前記バッファーメモリから読み出したディジタルデータを記録するドラムシリンダに配置されたＬ個（Ｌは自然数）の記録ヘッドと、
前記ドラムシリンダの回転数を前記記録ヘッド数Ｌに反比例した回転数とするドラムシリンダの制御手段と、
前記記録ヘッドの回転周期に対応して、各記録ヘッドが記録すべきトラック番号を発生するトラック番号生成手段と、
前記トラック番号生成手段により発生された各記録ヘッドのトラック番号と前記バッファーメモリの（Ｎ×Ｋ）の領域との対応表を記憶しておくフォーマットメモリと、
前記フォーマットメモリを参照にして、前記バッファーメモリに格納されているディジタルデータをＬ個の領域毎に読み出していくメモリの読み出し手段と、前記バッファーメモリより読み出されたディジタルデータを所定ビット毎に格納しておくＫ個のレート変換メモリと、
前記Ｋ個のレート変換メモリに格納されたディジタルデータをＬ個毎に切り替えて、ドラムシリンダの回転数に比例した記録クロックで読み出すレート変換メモリの制御手段とを備えたディジタル信号の処理装置。
【請求項２】
１チャンネル当たり同一レートを有するＮ（Ｎは自然数）個のセクターで構成されていて、１セクター当たりａビットのディジタルデータを有するＫ（Ｋは２以上の整数）チャンネルのディジタルデータを書きこむバッファーメモリと、
前記バッファーメモリを（Ｎ×Ｋ）個の領域に分割し、前記チャンネルと前記セクタを前記メモリの領域に対応づけて、前記Ｋチャンネルのディジタルデータを書きこむメモリの書きこみ制御手段と、
前記バッファーメモリから読み出したディジタルデータを記録するドラムシリンダに配置されたＬ個（Ｌは自然数）の記録ヘッドと、
前記ドラムシリンダの回転数を前記記録ヘッド数Ｌに反比例した回転数とするドラムシリンダの制御手段と、
前記記録ヘッドの回転周期に対応して、各記録ヘッドが記録すべきトラック番号を発生するトラック番号生成手段と、
前記記録ヘッドの１スキャンが生成するトラックが、複数のセグメントに分割される場合は、そのセグメント番号を生成するセグメント番号生成手段と、
各フォーマットに応じて、前記トラック番号生成手段により作成されたトラック番号と前記セグメント番号生成手段により作成されたセグメント番号に対応する前記バッファーメモリの（Ｎ×Ｋ）の領域との対応表を記憶しておくフォーマットメモリと、
前記フォーマットメモリを参照にして、前記バッファーメモリに格納されているディジタルデータをＬ個の領域毎に読み出していくメモリの読み出し手段と、前記バッファーメモリより読み出されたディジタルデータを所定ビット毎に格納しておくＫ個のレート変換メモリと、
前記Ｋ個のレート変換メモリに格納されたディジタルデータをＬ個毎に切り替えて、ドラムシリンダの回転数に比例した記録クロックで読み出すレート変換メモリの制御手段とを備えたディジタル信号の処理装置。
【発明の詳細な説明】
【０００１】
【発明の属する技術分野】
本発明は、マルチレートに対応した記録再生装置に適するディジタル信号の処理装置に関する。
【０００２】
【従来の技術】
近年、画像データの処理装置は急速にディジタル化が進んでいる。例えば、業務用ＶＴＲは、アナログ記録方式のＶＴＲから、非圧縮のデジタル信号を記録するＶＴＲ（例えば、Ｄ１，Ｄ２，Ｄ３，Ｄ５）、そして映像信号を高能率符号化により圧縮して記録するＶＴＲ（たとえば、ＤＶＣＰＲＯ）のように、アナログからディジタルへ、またディジタルの非圧縮から圧縮へと変遷している。また、民生用ＶＴＲでは、アナログ方式のＶＨＳから、画像データをＤＣＴ、ハフマン符号により高能率符号化して記録する圧縮方式のＤＶ−ＶＴＲに変遷している。
【０００３】
また、番組に応じてビットレートの異なる記録をして、記録容量を押さえる手法が顕著になりつつある。実際ＤＶＣＰＲＯシリーズでは、ニュース取材では２５Ｍｂｐｓ記録、ドラマ、バラエティ等では５０Ｍｂｐｓ記録が使用されている。さらに来年度より放送予定のＢＳディジタル放送では、ＨＤ放送が主体になることから、さらにビットレートの大きい記録が望まれている。
【０００４】
これらの多レートのフォーマットに対応して記録再生を行うＶＴＲの従来の例として、特許第２６５６０７７号公報のディジタル信号記録装置では、入力されたディジタルデータをバッファーメモリに書きこみ、入力されるディジタルデータの容量に対応して、ドラムシリンダの回転速度を比例させ、かつ前記バッファーメモリからの読み出しクロックを前記回転速度に比例した周波数のクロックにすることにより、同一のヘッドアッセンブリを持ったドラムシリンダでマルチレートの記録再生装置を実現している。
【０００５】
【発明が解決しようとする課題】
しかしながら、従来の記録再生装置では、例えば、Ａ、Ｂ、Ｃ、Ｄと４系統のディジタルデータが入力される場合、それらの入力データが各記録ヘッドにどのような対応関係にあるのか、また複数の記録フォーマットに対応して４系統のディジタルデータが、どのような配列で記録されるのかは述べられていない。
【０００６】
さらに、バッファーメモリの読み出しクロックをフォーマットに対応して切り替えるため、メモリ制御が煩雑になる、またメモリの書きこみと読み出しに対応してメモリを２個用いなければならないといった課題があった。
【０００７】
本発明は、同一回路構成で記録ヘッド数の異なるシステムに対応可能なディジタル信号の処理装置を提供することを目的とする。
【０００８】
【課題を解決するための手段】
この課題を解決するために本発明は、１チャンネル当たり同一レートを有するＮ（Ｎは自然数）個のセクターで構成されていて、１セクター当たりａビットのディジタルデータを有するＫ（Ｋは２以上の整数）チャンネルのディジタルデータを書き込むバッファーメモリと、バッファーメモリを（Ｎ×Ｋ）個の領域に分割し、チャンネルとセクタをメモリの領域に対応づけて、Ｋチャンネルのディジタルデータを書き込むメモリの書き込み制御手段と、バッファーメモリから読み出したディジタルデータを記録するドラムシリンダに配置されたＬ個（Ｌは自然数）の記録ヘッドと、ドラムシリンダの回転数を記録ヘッド数Ｌに反比例した回転数とするドラムシリンダの制御手段と、記録ヘッドの回転周期に対応して、各記録ヘッドが記録すべきトラック番号を発生するトラック番号生成手段と、トラック番号生成手段により発生された各記録ヘッドのトラック番号とバッファーメモリの（Ｎ×Ｋ）の領域との対応表を記憶しておくフォーマットメモリと、フォーマットメモリを参照にして、バッファーメモリに格納されているディジタルデータをＬ個の領域毎に読み出していくメモリの読み出し手段と、バッファーメモリより読み出されたディジタルデータを所定ビット毎に格納しておくＫ個のレート変換メモリと、Ｋ個のレート変換メモリに格納されたディジタルデータをＬ個毎に切り替えて、ドラムシリンダの回転数に比例した記録クロックで読み出すレート変換メモリの制御手段とを備える。
【０００９】
これにより、入力データと各記録ヘッド及び各トラックとの対応関係を自由に設定できるので、複数の記録フォーマットに柔軟に対応可能である。
【００１０】
また、バッファーメモリの読み出しクロックを単一周波数にすることが可能であり、バッファーメモリと容量の小さいレート変換メモリで、ヘッド数の異なる装置に対応することができる。
【００１１】
さらに、上記発明に、記録ヘッドの１スキャンが生成するトラックが、複数のセグメントに分割される場合は、そのセグメント番号を生成するセグメント番号生成手段と、各フォーマットに応じて、トラック番号生成手段により作成されたトラック番号とセグメント番号生成手段により作成されたセグメント番号に対応するバッファーメモリの（Ｎ×Ｋ）の領域との対応表を記憶しておくフォーマットメモリを追加することにより、例えば１本のトラックにおいて、映像信号と音声信号が別のセグメントに違った配列で記録される場合も柔軟に対応できる。
【００１２】
【発明の実施の形態】
本発明の第１の発明は、１チャンネル当たり同一レートを有するＮ（Ｎは自然数）個のセクターで構成されていて、１セクター当たりａビットのディジタルデータを有するＫ（Ｋは２以上の整数）チャンネルのディジタルデータを書きこむバッファーメモリと、前記バッファーメモリを（Ｎ×Ｋ）個の領域に分割し、前記チャンネルと前記セクタを前記メモリの領域に対応づけて、前記Ｋチャンネルのディジタルデータを書きこむメモリの書きこみ制御手段と、前記バッファーメモリから読み出したディジタルデータを記録するドラムシリンダに配置されたＬ個（Ｌは自然数）の記録ヘッドと、前記ドラムシリンダの回転数を前記記録ヘッド数Ｌに反比例した回転数とするドラムシリンダの制御手段と、前記記録ヘッドの回転周期に対応して、各記録ヘッドが記録すべきトラック番号を発生するトラック番号生成手段と、前記トラック番号生成手段により発生された各記録ヘッドのトラック番号と前記バッファーメモリの（Ｎ×Ｋ）の領域との対応表を記憶しておくフォーマットメモリと、前記フォーマットメモリを参照にして、前記バッファーメモリに格納されているディジタルデータをＬ個の領域毎に読み出していくメモリの読み出し手段と、前記バッファーメモリより読み出されたディジタルデータを所定ビット毎に格納しておくＫ個のレート変換メモリと、前記Ｋ個のレート変換メモリに格納されたディジタルデータをＬ個毎に切り替えて、ドラムシリンダの回転数に比例した記録クロックで読み出すレート変換メモリの制御手段とを備える。
【００１３】
これにより、入力データと各記録ヘッド及び各トラックとの対応関係を自由に設定できるので、複数の記録フォーマットに柔軟に対応可能である。また、バッファーメモリの読み出しクロックを単一周波数にすることが可能であり、バッファーメモリと容量の小さいレート変換メモリで、ヘッド数の異なる装置に対応することができる。
【００１４】
さらに、本発明の第２の発明は、１チャンネル当たり同一レートを有するＮ（Ｎは自然数）個のセクターで構成されていて、１セクター当たりａビットのディジタルデータを有するＫ（Ｋは２以上の整数）チャンネルのディジタルデータを書きこむバッファーメモリと、前記バッファーメモリを（Ｎ×Ｋ）個の領域に分割し、前記チャンネルと前記セクタを前記メモリの領域に対応づけて、前記Ｋチャンネルのディジタルデータを書きこむメモリの書きこみ制御手段と、前記バッファーメモリから読み出したディジタルデータを記録するドラムシリンダに配置されたＬ個（Ｌは自然数）の記録ヘッドと、前記ドラムシリンダの回転数を前記記録ヘッド数Ｌに反比例した回転数とするドラムシリンダの制御手段と、前記記録ヘッドの回転周期に対応して、各記録ヘッドが記録すべきトラック番号を発生するトラック番号生成手段と、前記記録ヘッドの１スキャンが生成するトラックが、複数のセグメントに分割される場合は、そのセグメント番号を生成するセグメント番号生成手段と、各フォーマットに応じて、前記トラック番号生成手段により作成されたトラック番号と前記セグメント番号生成手段により作成されたセグメント番号に対応する前記バッファーメモリの（Ｎ×Ｋ）の領域との対応表を記憶しておくフォーマットメモリと、前記フォーマットメモリを参照にして、前記バッファーメモリに格納されているディジタルデータをＬ個の領域毎に読み出していくメモリの読み出し手段と、前記バッファーメモリより読み出されたディジタルデータを所定ビット毎に格納しておくＫ個のレート変換メモリと、前記Ｋ個のレート変換メモリに格納されたディジタルデータをＬ個毎に切り替えて、ドラムシリンダの回転数に比例した記録クロックで読み出すレート変換メモリの制御手段とを備える。
【００１５】
これにより、例えば１本のトラックにおいて、映像信号と音声信号が別のセグメントに違った配列で記録される場合も柔軟に対応できる。
【００１６】
以下、本発明の実施の形態について、図面を用いて説明する。
【００１７】
（実施の形態１）
図１は、本発明の実施の形態１におけるディジタル信号の処理装置の構成を示すブロック図である。本実施の形態では、同一のビットレートを有する４系統のディジタルデータを入力して、記録ヘッドを１８０度対向ヘッドの構成で４チャンネル有する場合は９０００ｒｐｍでドラムシリンダを回転し、１フレーム、１チャンネル当たり１０個の記録トラックを生成する。記録ヘッドを１８０度対向ヘッドの構成で２チャンネル有する場合は１８０００ｒｐｍでドラムシリンダを回転させ、１フレーム、１チャンネル当たり２０個の記録トラックを発生させることによって同一フォーマットを実現している。以下、図１を参照しながら詳細に説明する。
【００１８】
同図において、１は入力された４系統のディジタルデータを格納するバッファーメモリ、２はバッファーメモリ１の書きこみの制御をするメモリ書きこみ手段、３は記録ヘッドの数に反比例してドラムシリンダを回転させるドラムシリンダ制御手段、４はドラムシリンダの回転に対応して記録トラックのトラック番号を発生するトラック番号の生成手段、６はトラック番号に対応したバッファーメモリ１のアドレスを記憶しておくフォーマットメモリ、５はトラック番号に従い、フォーマットメモリ６を参照にしながらバッファーメモリ１の読み出しアドレスを発生するメモリ読み出し制御手段、７はバッファーメモリ１より読み出されたディジタルデータを所定ビット単位で格納しておくレート変換メモリ、８はドラムシリンダ制御手段３の示す回転数に比例した記録クロックを発生する記録クロック発生手段、９は記録クロックに対応してレート変換メモリ７の制御を行うレート変換メモリの制御手段、１０はレート変換メモリ７から読み出されたディジタルデータの変調を行う変調手段である。以上のように構成されたディジタル信号の処理装置の動作について、以下に説明する。
【００１９】
まず、４系統のディジタルデータの模式図を図２に示す。図２に示すように、１系統のディジタルデータは、１フレーム当たり、１０個のセクターで構成されており、１セクター当たり所定のａビットの容量を持つ。本実施の形態では入力を４系統有するので、セクター数は１フレームあたり４０セクターとなる。以上のような構成を有する４系統のディジタルデータは、メモリ書きこみ制御手段２によって制御されバッファーメモリ１に書き込まれる。
【００２０】
図３にバッファーメモリ１のメモリマップを示す。同図の符号Ｍ（１，１）はバッファーメモリの（１，１）の領域を示している。同図によると、ディジタルデータ１はセクター番号をｋとすると、セクターｋはＭ（１，ｋ）のバッファーメモリの領域に書き込まれる。ディジタルデータ２、ディジタルデータ３、ディジタルデータ４も同様にＭ（２，ｋ）、Ｍ（３，ｋ）、Ｍ（４，ｋ）の領域に書き込まれる。
【００２１】
ドラムシリンダ制御手段３では、記録ヘッドのチャンネル数が４チャンネルの場合はドラムシリンダを９０００ｒｐｍで回転させ、記録ヘッドのチャンネル数が２チャンネルの場合はドラムシリンダを１８０００ｒｐｍで回転させ、夫々の回転数とヘッド数に対応したヘッドスイッチを発生している。トラック番号生成手段４では、ドラムシリンダ制御手段３により生成されたヘッドスイッチによりトラック番号を発生している。記録ヘッドが１８０度対向ヘッドの構成で４チャンネルの場合は、１フレームあたりドラムシリンダを５回転させ５周期のヘッドスイッチを生成させ、記録ヘッドが１８０度対向ヘッドの構成で２チャンネルの場合は、１フレーム当たりドラムシリンダを１０回転させ１０周期のヘッドスイッチを生成させ、フレーム基準信号をリセット信号にして、各ヘッドスイッチの立ち下がりおよび立ち上りエッジ毎にカウントして記録トラック番号を生成している。
【００２２】
図４に記録トラック番号の生成のタイミング図を示す。同図において、（４−１）はフレーム信号、（４−２）は９０００ｒｐｍモードのヘッドスイッチ信号、（４−３）は９０００ｒｐｍモードのトラック番号、（４−４）は１８０００ｒｐｍモードのヘッドスイッチ信号、（４−５）は１８０００ｒｐｍモードのトラック番号である。同図が示すように、ドラムシリンダの回転が９０００ｒｐｍの場合、トラック番号は１から１０までとなり、ドラムシリンダの回転数が１８０００ｒｐｍの場合、トラック番号は１から２０までとなる。
【００２３】
図５はドラムシリンダ回転数が９０００ｒｐｍにおけるフォーマットメモリ６のマップの一例、図６はドラムシリンダ回転数が１８０００ｒｐｍにおけるフォーマットメモリ６のマップの一例である。９０００ｒｐｍの場合は１０個のトラックと４個の記録チャンネルに対応して、バッファーメモリ１の領域が記されている。同様に、１８０００ｒｐｍの場合は２０個のトラックと２個の記録チャンネルに対応してバッファーメモリ１の領域が記されている。尚、今回図５及び図６に記したフォーマットメモリ６のマップは一例であって、各記録フォーマットに従い自由に変更できることはいうまでもない。
【００２４】
メモリ読み出し手段５では、トラック番号生成手段４で生成されたトラック番号に対応したバッファーメモリ１の領域をフォーマットメモリ６に従って、１シンクブロック毎に読み出している。
【００２５】
４個の記録チャンネルを有する回転数が９０００ｒｐｍの場合では、１シンクブロック毎にバッファーメモリ１の４個の領域から読み出される。また、２個の記録チャンネルを有する回転数が１８０００ｒｐｍの場合は１シンクブロック毎にバッファーメモリ１の２個の領域から読み出される。
【００２６】
図７はレート変換メモリ７の書きこみ及び読み出しのタイミング図である。同図の（ａ−１）はドラムシリンダの回転数が９０００ｒｐｍの場合におけるバッファーメモリ１から読み出されたディジタルデータのタイミングであり、同図のＭ（ｉ，ｊ，ｋ）はディジタルデータｉ、ｊセクター、ｋ番目のシンクブロックのディジタルデータを示している。同図によると、入力された４系統のディジタルデータの第１セクター部がシンクブロック毎に順番に読み出されている。（ａ−１）のタイミングで読み出されたディジタルデータは、４個のレート変換メモリ７に書きこまれる。４個のレート変換メモリ７のメモリマップは、４チャンネルの記録ヘッドが記録すべきディジタルデータを選択して格納している。本実施の形態では、記録ヘッドのチャンネル番号と入力されたディジタルデータの番号とを対応させている。図７（ａ−２）、（ａ−３）、（ａ−４）、（ａ−５）は、ドラムシリンダの回転数が９０００ｒｐｍの場合における各レート変換メモリ７からのディジタルデータの読み出しのタイミング図である。レート変換メモリ７の読み出しクロックは、記録クロック発生手段８で発生したクロックによって行われている。
【００２７】
また、同図の（ｂ−１）は、ドラムシリンダの回転数が１８０００ｒｐｍの場合におけるバッファーメモリ１から読み出されたディジタルデータのタイミングであり、同図のＭ（ｉ，ｊ，ｋ）はディジタルデータｉ、ｊセクター、ｋ番目のシンクブロックのディジタルデータを示している。同図によると、入力された４系統のディジタルデータのうち、ディジタルデータ１とディジタルデータ２の第１セクター部がシンクブロック毎に順番に読み出されている。（ａ−１）のタイミングで読み出されたディジタルデータは、１シンクブロック毎に４個のレート変換メモリ７に書きこまれる。４個のレート変換メモリ７のメモリマップは４個のレート変換メモリを２個ずつに分け、１個の記録チャンネルに２個のレート変換メモリが対応するように制御している。同図の（ｂ−２）、（ｂ−３）、（ｂ−４）、（ｂ−５）は、ドラムシリンダの回転数が１８０００ｒｐｍの場合における各レート変換メモリからディジタルデータの読み出しのタイミング図である。同図に示すように、（ｂ−２）と（ｂ−４）に示されるディジタルデータが１個の記録チャンネルに対応し、（ｂ−３）と（ｂ−５）に示されるディジタルデータが、もう一方の記録チャンネルに対応する。また、レート変換メモリ７の読み出しクロックは、記録クロック発生手段８で発生した９０００ｒｐｍ時の２倍の周波数のクロックによって行われている。
【００２８】
図８に各回転に対応した読み出されたディジタルデータの模式図を示す。同図の（８−１）はフレーム基準信号、（８−２）は９０００ｒｐｍのヘッドスイッチ、（８−３）は９０００ｒｐｍ時の各記録チャンネルのディジタルデータ、（８−４）は１８０００ｒｐｍのヘッドスイッチ、（８−５）は１８０００ｒｐｍ時の各記録チャンネルのディジタルデータを示している。
【００２９】
図８に示したように、９０００ｒｐｍの場合は、各セクターの４系統のディジタルデータが、ほぼ並列に読み出されるのに対して、１８０００ｒｐｍの場合は各セクターの４系統のディジタルデータの内、ディジタルデータ１とディジタルデータ２がまず読み出され、次にディジタルデータ３とディジタルデータ４が読み出されている。
【００３０】
レート変換メモリ７でレート変換されたディジタルデータは、変調手段１０に入力されＮＲＺＩ等の変調をされ記録ヘッドにより記録される。
【００３１】
図９は、本実施に形態におけるメモリ領域と記録フォーマットの対応を示す模式図であり、ドラムシリンダの回転数が９０００ｒｐｍの場合も、１８０００ｒｐｍの場合も共通の記録フォーマットとなる。
【００３２】
以上説明したように、本実施の形態１では回転数に対応したフォーマットメモリ６と、レート変換メモリ７を設けることによって、入力データと各記録ヘッド及び各トラックとの対応関係を自由に設定できるので、複数の記録フォーマットに柔軟に対応可能である。
【００３３】
また、バッファーメモリ１の読み出しクロックを単一周波数にすることが可能であり、バッファーメモリ１と容量の小さいレート変換メモリ７で、ヘッド数の異なる装置に対応することができる。
【００３４】
尚、本実施の形態の回路構成に入力データを選択する選択手段を設け、記録チャンネルを２チャンネルに固定し、１８０００ｒｐｍで回転する場合は入力される４系統のディジタルデータを全て記録し、９０００ｒｐｍで回転する場合は前記選択手段で入力されたディジタルデータの内２系統を選択して記録すれば、マルチレートの記録装置が実現可能なことはいうまでもない。
【００３５】
（実施の形態２）
図１０は、本発明の実施の形態２によるディジタル信号の処理装置の構成を示すブロック図である。同図において、図１と同符号のものは、実施の形態１と同様であるので説明を省略する。実施の形態１と異なる点は、記録ヘッドの１スキャンが生成するトラックが、複数のセグメントに分割される場合は、そのセグメント番号を生成するセグメント番号生成手段２０を設け、実施の形態１に記載したトラック番号生成手段４により作成されたトラック番号とセグメント番号生成手段２０により作成されたセグメント番号に対応するバッファーメモリ１の（Ｎ×Ｋ）の領域との対応表を記憶しておく新たなフォーマットメモリ２１を設けたものである。
【００３６】
本実施の形態は、例えば、ビデオとオーディオが異なるデータ配列で記録されるときに有効である。
【００３７】
図１１に入力されるディジタルオーディオデータの模式図を示す。ディジタルビデオデータは、実施の形態１と同様である。本実施の形態ではビデオとオーディオが時間軸多重で伝送された４系統のディジタルデータを入力としている。１系統のディジタルデータには、オーディオデータが前半セクターと後半セクターに分かれて２チャンネル挿入されている。本実施の形態では、図１１で示すように、各系統で前半（セクタ−１〜セクタ−５）、後半（セクタ−６〜セクタ−１０）で異なるように、合計８チャンネルのオーディオデータが挿入されている。これらの８チャンネルのオーディオデータを記録する場合、チャンネル毎に編集する必要性から、各々のチャンネルのオーディオデータがまとまって記録することが重要である。しかし、図９の記録フォーマットで示したようにビデオデータは、各入力ディジタルデータの隣接セクターは記録トラックではまとまって記録されていない。
【００３８】
これらの課題を解決するために、本実施の形態は、記録ヘッドの１スキャンが生成するトラックが、複数のセグメントに分割される場合は、そのセグメント番号を生成するセグメント番号生成手段２０を設けている。セグメント番号生成手段２０では、１トラックの中で、ビデオセグメントとオーディオセグメントを記録位置に従い分割している。本実施の形態では、トラックの前半セグメントが音声セグメント、トラックの後半がビデオセグメントとしている。セグメント番号生成手段２０で生成されたセグメント番号と、トラック番号生成手段４で生成されたトラック番号はメモリ読み出し手段６に入力され、メモリ読み出し制御手段５では、セグメント番号とトラック番号に対応したフォーマットメモリ２１のアドレスに格納されているバッファーメモリ領域に従いバッファーメモリの読み出しを制御する。
【００３９】
図１２に９０００ｒｐｍモードにおけるフォーマットメモリの一例を示す。同図に示すように、フォーマットメモリ２１は、各記録チャンネルに対応して、トラック番号毎に、音声セグメントとビデオセグメントと別々にバッファーメモリ１の領域を記憶している。例えば、記録チャンネル１であると、トラック番号が２で、セグメント番号生成手段２０が音声セグメントの位置を示している場合は、Ｍ（１，５）のバッファーメモリ１の領域に格納されているディジタルデータが、映像セグメントの位置を示している場合には、Ｍ（１，２）のバッファーメモリ１の領域に格納されているディジタルデータが読み出される。
【００４０】
同様に１８０００ｒｐｍの場合も記録チャンネルに対応して音声セグメントとビデオセグメントを示すフォーマットメモリのマップがあるが、実施の形態１より容易に推定されるので説明を省略する。同様に、レート変換メモリ７の動作についても、実施の形態１と同様の動作をするので説明を省略する。
【００４１】
本実施の形態で記録されるトラックの記録フォーマットを図１３に示す。同図に示すように、１トラックが映像セグメントと音声セグメントに分かれ、各々が別の配列で記録され、音声に関しては、各チャンネルがまとまって記録されている。
【００４２】
以上のように本実施の形態によれば、セグメント番号生成手段２０と、それに対応したフォーマットメモリ２１を設けることにより、例えば１本のトラックにおいて、映像信号と音声信号が別のセグメントに違った配列で記録される場合も柔軟に対応することができる。
【００４３】
以上の実施の形態１と実施の形態２では、記録の場合の構成と動作について説明したが、再生の場合もその逆の処理をすればよいことはいうまでもない。
【００４４】
【発明の効果】
以上説明したように、本発明の第１の発明によれば、複数個のセクターで構成されていて、Ｋ（Ｋは２以上の整数）チャンネルのディジタルデータを書きこむバッファーメモリと、バッファーメモリ（Ｎ×Ｋ）個の領域に分割し、チャンネルとセクタをメモリの領域に対応づけて、Ｋチャンネルのディジタルデータを書きこむメモリの書きこみ制御手段と、ディジタルデータを記録するドラムシリンダに配置されたＬ個（Ｌは自然数）の記録ヘッドと、ドラムシリンダの回転数を記録ヘッド数Ｌに反比例した回転数とするドラムシリンダの制御手段と、記録ヘッドの回転周期に対応して、各記録ヘッドが記録すべきトラック番号を発生するトラック番号生成手段と、トラック番号生成手段により発生された各記録ヘッドのトラック番号とバッファーメモリの（Ｎ×Ｋ）の領域との対応表を記憶しておくフォーマットメモリと、フォーマットメモリを参照にして、バッファーメモリに格納されているディジタルデータをＬ個の領域毎に読み出していくメモリの読み出し手段を設け、回転数に対応して、トラック番号を生成し、そのトラック番号に従ったメモリ領域からディジタルデータを読み出すので、ほとんど同一の回路構成で回転数の違ったシステムに対応できる。
【００４５】
また、バッファーメモリより読み出されたディジタルデータを所定ビット毎に格納しておくＫ個のレート変換メモリと、Ｋ個のレート変換メモリに格納されたディジタルデータをＬ個毎に切り替えて、ドラムシリンダの回転数に比例した記録クロックで読み出すレート変換メモリの制御手段とを具備しているので、バッファーメモリの読み出しクロックを単一周波数にすることが可能であり、バッファーメモリと容量の小さいレート変換メモリで、ヘッド数の異なる装置に対応することができる。
【００４６】
さらに、本発明の第２の発明によれば、記録ヘッドの１スキャンが生成するトラックが、複数のセグメントに分割される場合は、そのセグメント番号を生成するセグメント番号生成手段と、各フォーマットに応じて、トラック番号生成手段により作成されたトラック番号とセグメント番号生成手段により作成されたセグメント番号に対応するバッファーメモリの領域との対応表を記憶しておくフォーマットメモリを設けることにより、例えば１本のトラックにおいて、映像信号と音声信号が別のセグメントに違った配列で記録される場合も柔軟に対応できる。
【図面の簡単な説明】
【図１】本発明の実施の形態１によるディジタル信号の処理装置の構成を示すブロック図
【図２】同処理装置の入力ディジタルデータの模式図
【図３】同処理装置のバッファーメモリのメモリマップを示す図
【図４】同処理装置のトラック番号生成手段のタイミング図
【図５】同処理装置の９０００ｒｐｍモード時のフォーマットメモリのマップを示す図
【図６】同処理装置の１８０００ｒｐｍモード時のフォーマットメモリのマップを示す図
【図７】同処理装置のレート変換メモリの制御を示すタイミング図
【図８】同処理装置のヘッドスイッチと各記録チャンネルのデータの関係を示す模式図
【図９】同処理装置の記録トラックと入力データの関係を示す模式図
【図１０】本発明の実施の形態２によるディジタル信号の処理装置の構成を示すブロック図
【図１１】同処理装置の入力ディジタル音声データの模式図
【図１２】同処理装置の９０００ｒｐｍモード時のフォーマットメモリのマップを示す図
【図１３】同処理装置の記録トラックと入力データの関係を示す模式図
【符号の説明】
１  バッファーメモリ
２  メモリ書きこみ制御手段
３  ドラムシリンダ制御手段
４  トラック番号生成手段
５  メモリ読み出し制御手段
６  フォーマットメモリ
７  レート変換メモリ
８  記録クロック発生手段
９  レート変換メモリの制御手段
１０  変調手段
【図１】
0003543689.tif 000002
【図２】
0003543689.tif 000003
【図３】
0003543689.tif 000004
【図４】
0003543689.tif 000005
【図５】
0003543689.tif 000006
【図６】
0003543689.tif 000007
【図７】
0003543689.tif 000008
【図８】
0003543689.tif 000009
【図９】
0003543689.tif 000010
【図１０】
0003543689.tif 000011
【図１１】
0003543689.tif 000012
【図１２】
0003543689.tif 000013
【図１３】
0003543689.tif 000014